(57)【要約】【課題】表示単位に対する配線をせずに簡単に構成でき、かつ、簡単に機密構造を実現でき、ビル等の室内照明を利用した表示を簡単に行うことができる表示装置を提供する。【解決手段】表示装置１０は複数の表示単位セル２０がマトリクス状に配置されて、表示単位セル２０は、電源として太陽電池２１を備え、外部から駆動電力を供給する必要なく、制御部２７は、クロック回路２７１を備え、自身のクロックで計時を行う時計機能を有し、かつ、時刻情報電波受信回路２３で受信される時刻情報に基づく時刻修正機能を有し、高精度に修正される内部時計の計時時刻に従い、時系列的に表示デバイス２４の表示動作を制御し、また、表示プログラムは、外部からの無線によって書き換え可能である。【選択図】図２
2007322720.tif 000002
【特許請求の範囲】
【請求項１】
複数の表示単位によって表示を形成する表示装置であって、
上記各表示単位は、
時刻情報電波を受信し時刻情報を保持する時刻情報保持手段と、
設定される表示プログラムに従って表示デバイスの表示制御を行う制御手段と、
を有する表示装置。
【請求項２】
上記各表示単位は、太陽電池を含み、当該太陽電池の電力により表示デバイスを駆動する
請求項１記載の表示装置。
【請求項３】
上記表示プログラムは無線により外部より設定可能である
請求項１または２記載の表示装置。
【請求項４】
上記複数の表示単位のうち、所定の表示単位の制御手段は、他の表示デバイスを駆動する機能を有する
請求項１から３のいずれか一に記載の表示装置。
【発明の詳細な説明】
【技術分野】
【０００１】
本発明は、標準電波やラジオ放送、ＧＰＳなどの時刻情報（以下、時刻情報電波）を利用した表示装置に関するものである。
【背景技術】
【０００２】
図１は、複数の表示単位によって表示を形成する一般的な表示装置の構成例を示す図である。
【０００３】
図１の表示装置１においては、各表示単位２が信号配線３等により制御部４に接続され、制御部４が信号配線３を介して各表示単位に信号を送り、表示の制御を行っている。
【発明の開示】
【発明が解決しようとする課題】
【０００４】
上記した技術では、表示装置が比較的小型で一体型の表示装置である場合は問題にならないが、表示装置が大型で、かつ、頻繁に移動するような場合、たとえばイベント会場に設置する大型表示装置などは、各表示単位を並べて表示装置を組み立てる場合、多くの配線を配線する必要があることから、手間がかかり、配線が邪魔になるという不利益がある。
【０００５】
また、各表示単位に配線することが不可能な場合、たとえば大型のビルの各部屋の窓際に表示単位を置いて、ビル全体で表示を行う場合、また、各部屋の照明を点滅して表示を行う場合は、各部屋に人がいて人によって表示の制御を行わなければならない。
【０００６】
また、表示装置が屋外など風雨にさらされる環境に設置される場合、各表示単位にコネクタ部があると機密構造にしにくく、かつ、コネクタ部が腐食しやすいという不利益がある。
【０００７】
本発明は、かかる事情に鑑みてなされたものであり、その目的は、表示単位に対する配線をせずに簡単に構成でき、かつ、簡単に機密構造を実現でき、ビル等の室内照明を利用した表示を簡単に行うことができる表示装置を提供することにある。
【課題を解決するための手段】
【０００８】
上記目的を達成するために、本発明の観点は、複数の表示単位によって表示を形成する表示装置であって、上記各表示単位は、時刻情報電波を受信し時刻情報を保持する時刻情報保持手段と、設定される表示プログラムに従って表示デバイスの表示制御を行う制御手段と、を有する。
【０００９】
好適には、上記各表示単位は、太陽電池を含み、当該太陽電池の電力により表示デバイスを駆動する。
【００１０】
好適には、上記表示プログラムは無線により外部より設定可能である。
【００１１】
好適には、上記複数の表示単位のうち、所定の表示単位の制御手段は、他の表示デバイスを駆動する機能を有する。
【発明の効果】
【００１２】
本発明によれば、電源配線や信号配線をすることなく表示装置を構成できる。
また、観点に機密構造にすることができることから、特に屋外で優位となる。
また、表示単位で他のデバイスを制御できるようにすれば、たとえば、ビルの各部屋の照明を点滅できるようにすれば、ビルの室内照明を利用した表示が簡単にできる利点がある。
【発明を実施するための最良の形態】
【００１３】
以下、本発明の実施形態を図面に関連付けて説明する。
【００１４】
図２は、本発明の実施形態に係る表示装置の基本的な構成を示す図である。
【００１５】
本表示装置１０は、図２に示すように、方形で所定サイズに形成された複数の表示単位セル（セグメント）２０がマトリクス状に配置されている。
図２の例では、２０個の表示単位セル２０が５行４列のマトリクス状に配列されている。
そして、本実施形態の表示装置１０は、各表示単位セル２０が駆動電源として太陽電池を有し、かつ、表示制御をセルごとに可能なように構成されており、構成の特徴として電源および信号の配線が基本的にない。
【００１６】
図３は、本実施形態に係る表示単位セルの構成例を示すブロック図である。
【００１７】
図３の表示単位セル２０は、太陽電池２１、時刻情報電波の受信アンテナ２２、時刻情報電波受信回路２３、表示デバイス２４、表示プログラム等の無線プログラムデータの受信アンテナ２５、プログラムデータ受信回路２６、および制御部２７を有している。
【００１８】
このように、表示単位セル２０は、電源として太陽電池２１を備え、外部から駆動電力を供給する必要なない。
制御部２７は、クロック回路２７１を備え、自身のクロックで計時を行う時計機能を有している。
また、表示単位セル２０は、時刻電波を受信する機能を備え、定期的に自身の時計（内部時計）を修正する。この時刻情報電波受信回路２３と制御部２７による時刻修正機能については後で詳述する。
【００１９】
制御部２７は、高精度に修正される内部時計の計時時刻に従い、時系列的に表示デバイス２４の表示動作を制御する。
制御部２７の表示デバイス２４を制御するための表示プログラムは、メモリ２７２に保持されている。
そして、メモリ２７２に保持される表示プログラムデータは、外部からの無線によって、アンテナ２５、プログラムデータ受信回路２６で受信し、書き換えられるようになっている。
【００２０】
本実施形態において、表示装置１０を構成している各表示単位セル２０は、各々の時刻情報電波の受信により時刻同期が取れている。
【００２１】
図４は、本実施形態における表示装置１０の実際の表示の様子を示す図である。
図４（ａ），（ｂ）は表示例を示し、図４（ｃ）は各表示単位セルのプルグラムの内容を示している。
【００２２】
この例では、第１列目で第１行目のセルを「Ａ１」、第１列目で第２行目のセルを「Ａ２」、第１列目で第３行目のセルを「Ａ３」、第１列目で第４行目のセルを「Ａ４」、第１列目で第５行目のセルを「Ａ５」としている。
同様に、第２列目で第１行目のセルを「Ｂ１」、第２列目で第２行目のセルを「Ｂ２」、第２列目で第３行目のセルを「Ｂ３」、第２列目で第４行目のセルを「Ｂ４」、第２列目で第５行目のセルを「Ｂ５」としている。
第３列目で第１行目のセルを「Ｃ１」、第３列目で第２行目のセルを「Ｃ２」、第３列目で第３行目のセルを「Ｃ３」、第３列目で第４行目のセルを「Ｃ４」、第３列目で第５行目のセルを「Ｃ５」としている。
第４列目で第１行目のセルを「Ｄ１」、第４列目で第２行目のセルを「Ｄ２」、第４列目で第３行目のセルを「Ｄ３」、第４列目で第４行目のセルを「Ｄ４」、第４列目で第５行目のセルを「Ｄ５」としている。
【００２３】
この例におけるプルグラムは、１時６分に「６」を表示し、１時７分に「７」を表示するように設定されている。
図４（ｃ）において、「１」が設定されている表単位セルは点灯、「０」が設定されている表示単位セルは消灯を表す。
図４（ａ）は１時６分の表示、図４（ｂ）は１時７分の表示を示している。
【００２４】
以上、本実施形態の表示装置１０の特徴的な構成および機能について説明した。
以下、表示装置１０を構成している各表示単位セル２０が各々の時刻情報電波の受信により時刻同期を取ることができる構成および機能である時刻情報電波受信回路２３と制御部２７による時刻修正機能について説明する。
【００２５】
本実施形態に係る表示装置１０の各表示単位セル２０は、時刻情報を含む標準電波を受信する標準電波受信部を有し、標準電波を受信可能である。そして、一旦標準電波を受信した後、時報情報に基づいて時刻修正を行う機能を有する。
内部時計の電波修正機能は、佐賀に設置された標準電波送信局から周波数６０ｋＨｚで送信された標準時刻電波信号や、福島県に設置された標準電波送信局から周波数４０ｋＨｚで送信された標準時刻電波信号を受信する。
【００２６】
時刻情報電波受信回路２３は、たとえば制御部２７の制御により、時刻情報を含む標準電波を受信して所定処理を施して制御部２７に出力する。
【００２７】
時刻情報電波受信回路２３は、たとえば初期時にアンテナ２２を介して標準時刻電波信号を受信し、信号Ｓ２３として制御部２７に出力する。制御部２７は、初期時には、時刻情報電波受信回路２３から出力された標準時刻電波信号（時刻コードとも言う）を示す信号Ｓ２３に基づいて内部時計が計時する時刻情報を修正する。
【００２８】
詳細には時刻情報電波受信回路２３は、たとえば不図示のＲＦアンプ、検波回路、波形整形回路を有し、増幅処理、検波処理等を行い、処理結果の標準時刻信号を信号Ｓ２３として出力する。
【００２９】
なお、日本の標準電波は独立行政法人情報通信研究機構（ＮＩＣＴ：National Institute of Information and Communications Technology）のもとで運用されており、周波数４０ｋＨｚの標準電波を送信する標準電波送信所および周波数６０ｋＨｚの標準電波を送信する標準電波送信所が設けられている。
標準時刻電波信号は、たとえば、少なくとも標準時刻の秒毎にパルスのレベルが切り換わるように変調されている。また、標準時刻電波信号は、標準時刻のうち分情報、時情報、日情報、うるう秒情報、またはサマータイム情報のいずれかに応じて規定された信号を基に変調されている。
【００３０】
たとえば時刻情報電波受信回路２３で受信される標準電波は、図５（ａ）に示すような形態で送られてくる。
【００３１】
具体的には、時刻コードは１，０，Ｐの３種類の信号パターンからなり、１ｓｅｃの１信号パターン中の１００％振幅期間幅によって区別され、１，０，Ｐはそれぞれ５００ｍｓ，８００ｍｓ，２００ｍｓとなっている。変調方式は、最大値１００％，最小値１０％の振幅変調である。
【００３２】
そして、受信状態が良好な場合には、時刻情報電波受信回路２３からは図５（ｂ）に示すように、標準電波信号に応じたパルス信号として信号Ｓ２３が、制御部２７に出力される。
【００３３】
この信号Ｓ２３は、たとえば第１のレベルに相当するハイレベルと、第２のレベルに相当するローレベルにより構成されている。制御部２７は、ハイレベル、およびローレベル、ならびに、ハイレベルからローレベルへの立下りエッジｅｄ１、およびローレベルからハイレベルへの立上がりエッジｅｄ２に基づいて受信状態の評価処理を行う。エッジｅｄ１およびエッジｅｄ２を区別しない場合には、単にエッジｅｄという。
【００３４】
次に、長波標準電波の送信データについて説明する。
図６は、標準時刻電波信号の時刻コードの一例を示している。図６（ａ）は毎時１５，４５分以外のフォーマット、図６（ｂ）は、毎時１５分，４５分のフォーマットを示す。
送信情報は、分・時・１月１日からの積算日となっている。
時刻データの送信は、１ｂｉｔ／秒で１分間を１フレームとしており、このフレーム内に前述した分・時・１月１日からの積算日の情報がＢＣＤコードで提供されている。また送信されるデータは、０・１の他にＰコードというマーカーが含まれており、このＰコードは、１フレームに数カ所あり、正分（０秒）、９秒、１９秒、２９秒、３９秒、４９秒、５９秒に現れる。このＰコードが続けて現れるのは１フレーム中１回で５９秒、０秒の時だけで、この続けて現れる位置が正分位置となる。つまり分・時データ等の時刻データはこの正分位置を基準としてフレーム中の位置が決まっているためこの正分位置の検出を行わないと時刻データを取り出すことはできない。
【００３５】
また、制御部２７は、初期時に時刻情報電波受信回路２３が受信した標準時刻電波信号に基づいて、内部時計が計時する時間情報である年情報、月情報、日情報、曜日情報、時情報、分情報、および秒情報を修正し、内部時計が計時する時刻情報を基に、表示時刻の修正を行う。
【００３６】
また、制御部２７は、標準電波強制受信モード時に、時刻情報電波受信回路２３により受信した標準時刻電波信号から標準時刻信号を有効に抽出できた場合に、当該標準時刻信号に基づいて内部時計の時刻情報を修正する。
【００３７】
以上、説明したように、本実施形態によれば、表示装置１０は複数の表示単位セル２０がマトリクス状に配置されて、表示単位セル２０は、電源として太陽電池２１を備え、外部から駆動電力を供給する必要なく、制御部２７は、クロック回路２７１を備え、自身のクロックで計時を行う時計機能を有し、かつ、時刻情報電波受信回路２３で受信される時刻情報に基づく時刻修正機能を有し、高精度に修正される内部時計の計時時刻に従い、時系列的に表示デバイス２４の表示動作を制御し、また、表示プログラムは、外部からの無線によって書き換え可能であることから、以下の効果を得ることができる。
【００３８】
電源配線や信号配線をすることなく表示装置を構成できる。
また、観点に機密構造にすることができることから、特に屋外で優位となる。たとえば、歩道に埋め込まれた時計、ビルの壁の時計などが簡単に設置できる。
また、図７に示すように、表示単位２０で他の表示デバイス３０を制御できるようにすれば、たとえば、ビルの各部屋の照明を点滅できるようにすれば、ビルの室内照明を利用した表示が簡単にできる利点がある。
【図面の簡単な説明】
【００３９】
【図１】複数の表示単位によって表示を形成する一般的な表示装置の構成例を示す図である。
【図２】本発明の実施形態に係る表示装置の基本的な構成を示す図である。
【図３】本実施形態に係る表示単位セルの構成例を示すブロック図である。
【図４】本実施形態における表示装置の実際の表示の様子を示す図である。
【図５】本発明に係る制御部における電波受信状態を説明するための図である。
【図６】標準時刻電波信号の時刻コードの一例を示す図である。
【図７】本実施形態の表示単位で他の表示デバイスを制御できるようにした構成を示す図である。
【符号の説明】
【００４０】
１０・・・表示装置、２０・・・表示単位セル、２１・・・太陽電池、２２・・・時刻情報電波の受信アンテナ、２３・・・時刻情報電波受信回路、２４・・・表示デバイス、２５・・・受信アンテナ、２６・・・プログラムデータ受信回路、２７・・・制御部、３０・・・他の表示デバイス。
【図１】
2007322720.tif 000003
【図２】
2007322720.tif 000004
【図３】
2007322720.tif 000005
【図４】
2007322720.tif 000006
【図５】
2007322720.tif 000007
【図６】
2007322720.tif 000008
【図７】
2007322720.tif 000009